(57)【要約】【課題】信号波長数が変化したときの過渡的な利得変動を抑圧し、光信号の通信品質を保つことができるようにする。【解決手段】信号光および自然放出光を含む光について波長チャンネルに相当する波長成分ごとに光パワーを可変させる光パワー制御デバイス２４と、前記信号光の波長チャンネルの配置情報を取得する波長配置情報取得部６ａと、波長配置情報取得部６ａで取得した前記配置情報に基づき、前記信号光の波長成分の光パワーと、前記信号光の波長成分以外の波長成分についての光パワーと、が実質的に同等となるようにパワー制御デバイス２４を制御する制御部６ｂと、をそなえる。【選択図】図１
2008091995.tif 000002
【特許請求の範囲】
【請求項１】
信号光および自然放出光を含む光について波長チャンネルに相当する波長成分ごとに光パワーを可変させる光パワー制御デバイスと、
前記信号光の波長チャンネルの配置情報を取得する波長配置情報取得部と、
該波長配置情報取得部で取得した前記配置情報に基づき、前記信号光の波長成分の光パワーと、前記信号光の波長成分以外の波長成分についての光パワーと、が実質的に同等となるように該パワー制御デバイスを制御する制御部と、
をそなえたことを特徴とする光伝送装置。
【請求項２】
入力信号光および自然放出光を含む入力光について前記波長チャンネルに相当する波長成分ごとに分波する分波器と、
該分波器で分波された各波長成分の光についてのドロップ方路へのドロップおよび出力方路への通過、ならびにアド方路からの光についての前記出力方路へのアドを切り替える切り替え部と、をそなえるとともに、
該パワー制御デバイスが、該切り替え部における前記出力方路を通じて出力された各波長成分の光について光パワーを可変減衰させる光可変減衰器により構成され、
かつ、該光可変減衰器で可変減衰がなされた各波長成分の光について合波して出力する合波器をそなえるとともに、
該制御部が、該波長配置情報取得部で取得した前記配置情報に基づき、前記信号光の波長成分の光パワーと、前記信号光の波長成分以外の波長成分についての光パワーと、が実質的に同等となるように、該光可変減衰器における各波長成分の光パワーについての減衰量を制御することを特徴とする請求項１記載の光伝送装置。
【請求項３】
該切り替え部は、前記出力信号光となる信号光に用いられない波長帯については擬似光を出力すべく切り替えを行なうことを特徴とする請求項２記載の光伝送装置。
【請求項４】
該パワー制御デバイスが、
前記波長チャンネルに相当する波長成分ごとに光可変減衰を行ないうる波長選択光スイッチにより構成されたことを特徴とする、請求項１記載の光伝送装置。
【請求項５】
信号光および自然放出光を含む光について波長チャンネルに相当する波長成分ごとに光パワーを可変させるパワー制御デバイスをそなえた光伝送装置の制御方法であって、
前記信号光としてとりうる波長成分のうちで、前記信号光の波長チャンネルの配置情報を取得し、
前記取得した前記配置情報に基づき、前記信号光の波長成分の光パワーと、前記信号光の波長成分以外の波長成分についての光パワーと、が実質的に同等となるように該パワー制御デバイスを制御することを特徴とする光伝送装置の制御方法。
【発明の詳細な説明】
【技術分野】
【０００１】
本発明は、光伝送装置およびその制御方法に関し、特に、光信号を波長多重して伝送させる光ネットワークにおいて用いて好適の、光伝送装置およびその制御方法に関するものである。
【背景技術】
【０００２】
近年、波長多重光伝送システムの一例として、地方の拠点都市間を結び、拠点に配置される任意のノードで任意波長の光信号を挿抜（アド／ドロップ）可能な光ネットワーク（メトロコア）システムが注目されている。
図６はメトロコアシステムの構成例を示すブロック図で、このメトロコアシステムをなす波長多重光伝送システム１００においては、光信号をアド／ドロップ可能な複数のＯＡＤＭ（Optical Add-Drop Multiplexer）ノード１０１（例えば図６中の１０１−１，１０１−２および１０１−ｎ）や、図示しない光ブロードバンドＨＵＢ、光スイッチングＨＵＢなどがそれぞれ伝送路光ファイバ１０２を介して接続されたものである。そして、複数のＯＡＤＭノード１０１における任意のＯＡＤＭノード１０１間で信号パスを設定することにより、波長多重信号光による通信を行なうことができるようになっている。
【０００３】
なお、各ＯＡＤＭノード１０１やその他光伝送装置の前後段には、必要に応じて、それぞれ光アンプ１０３（プリアンプ及びポストアンプ）が設けられ、伝送路光ファイバ１０２やＯＡＤＭノード１０１で受ける信号光パワーの損失を補償する役割を担っている。
上述のＯＡＤＭノード１０１間での通信においては、運用中にＯＡＤＭノード１０１で信号パスの切り替えが動的に行なわれるようになっているため、システム中を伝送する信号波長数が動的に変化する。このような信号波長数の変化が頻繁に生じても、個々の光信号の通信品質を保つことが必要である。この波長数変動に対して、各信号波長の出力光パワーを一定に保持（波長に対する利得平坦性を維持）するために、通常、上記光アンプ１０３には、利得一定制御（ＡＧＣ）機能を有するＡＧＣアンプが適用される。この光アンプ１０３には例えばＥＤＦＡ（Erbium Doped Fiber Amplifier）等のファイバ増幅器が用いられる。
【０００４】
図７は、ＯＡＤＭノード１０１の構成例を示す図である。このＯＡＤＭノード１０１は、分波器１１１と、信号光を自ノード１０１で（ドロップ方路１０１ｄへ）分岐するための分岐カプラ１１２、信号光を通過させるか自ノード１０１で（挿入方路１０１ａからの光を）挿入するかを選択する光スイッチ１１３、光スイッチ１１３からの光をパワー調整するための光可変減衰器（ＶＯＡ：Variable Optical Attenuator）１１４、および合波器１１５をそなえている。
【０００５】
図６に示すＯＡＤＭノード１０１−２における構成に着目する。このＯＡＤＭノード１０１−２よりも伝送路光ファイバ１０２の上流側にそなえられるＯＡＤＭノード１０１−１から、波長多重信号光が入力されると、図７に示すように、このＯＡＤＭノード１０１−２をなす分波器１１１で信号波長毎に分波される。
そして、分波された各信号光は次に配置される光スイッチ１１３の設定により、当該ＯＡＤＭノード１０１−２でドロップされるか、または通過（スルー）されるかが決まる。当該ＯＡＤＭノード１０１−２でドロップされる波長については、光スイッチ１１３により挿入方路からの光をＯＡＤＭノード１０１−ｎ側に出力される光に挿入（アド）することもできる。このようにして光スイッチ１１３を通過した信号光は、ＶＯＡ１１４で出力パワー調整が行なわれ、合波器１１５へ出力される。合波器１１５では波長毎に分波された光信号を再び多重化し、下流側の伝送路光ファイバ１０２を通じてＯＡＤＭノード１０１−ｎ側に出力される。
【０００６】
図８は、ＯＡＤＭノード１０１間通信において伝送路光ファイバ１０２を伝送される波長多重光のスペクトルの一例を示す図表、即ち、図７に示す合波器１１５から出力される光スペクトルの一例を示すものである。横軸は波長（λ）を表し、縦軸は光のパワー（Ｐｏｗｅｒ）を表す。合波器１１５においては、この図８に示すように、波長毎の信号光（図８におけるＡ参照）と、当該信号光の波長帯を有し、光アンプ１０３での増幅時に発生する雑音光である自然放出光（ＡＳＥ：Amplified Spountaneous Emission、図８におけるＢ参照）と、が蓄積された状態で、下流側の伝送路光ファイバ１０２に伝送される。
【０００７】
なお、ＯＡＤＭノード１０１間において、信号光として未使用の波長（図８のＣ参照）のパスについては、光スイッチ１１３でのスイッチング又はＶＯＡ１１４での光減衰制御により、光が通過しないように設定される。
なお、下記の特許文献１には、上述した従来技術と同等のＶＯＡをそなえた伝送装置について記載されている。
【０００８】
また、本願発明に関連する従来技術として、特許文献２に記載されたものもある。
【特許文献１】特開２００３−１６３６４１号公報
【特許文献２】特開２００２−３５３９３９号公報
【発明の開示】
【発明が解決しようとする課題】
【０００９】
しかしながら、従来の光伝送装置においては、図６に示すように、波長多重伝送システム１００におけるＯＡＤＭノード１０１が多段接続された状態で、伝送波長数が変化した場合、その直後における光信号パワー制御に過渡的な遅延が生じる。言い換えれば、伝送波長数が変化した直後においては、ＶＯＡ制御が伝送波長数変化を過渡的に反映しない状態で、光信号が下流側伝送路に出力されるようになる。
【００１０】
このため、多段に介装されたＯＡＤＭノード間での通信を行なう場合には、信号パワー変動量が蓄積していくことが想定され、受信側装置における光信号のパワーが受信レンジよりも低下、即ち信号として認識されるのに支障を来たしたり、もしくは信号雑音比が劣化することにより受信エラーを招いたり等、通信品質の低下を招く場合があるという課題があった。
【００１１】
図９〜図１１は、信号波長数の変化による信号パワー変化の一例を示す説明図である。例えば図９に示すように、波長多重伝送システム１００におけるＯＡＤＭノード１０１−１から１波（λ１）、ＯＡＤＭノード１０１−２から１波（λ２）挿入されている状態において、ＯＡＤＭノード１０１−１に障害が発生し、ＯＡＤＭノード１０１−１から送信されていた１波が消えることにより信号波長数が、２波（λ１，λ２）の光信号から、１波（λ２）の光信号だけに減少した場合を想定する。
【００１２】
図１０（ａ）および図１０（ｂ）は、上述のごとく光信号が２波から１波へ変化した場合の、ＯＡＤＭノード１０１−２における合波器１１５から出力される段での波長の変化を示す図である。横軸は波長（λ）を表し、縦軸は各光信号のパワーを表す。
ここで、信号波長数が減少する前段においては、図１０（ａ）に示すように、合波器１１５から出力される出力光として、光信号（λ１，λ２）と、光信号（λ１，λ２）の近傍のＡＳＥ（λ１＿ａｓｅ，λ２＿ａｓｅ）からなる光が出力される。光信号（λ１，λ２）の近傍以外の波長成分を有するＡＳＥが出力されないのは、光スイッチ１１３又はＶＯＡ１１４の動作により、光信号として用いられる波長帯以外のＡＳＥが取り除かれているためである。
【００１３】
これに対し、上述のごとく波長数が減少した後においては、１波の光信号がＯＡＤＭノード１０１−２へ入力される。このとき、信号波長数の変化直後において、ＯＡＤＭノード１０１−２内のＶＯＡ１１４が、信号がなくなったことを検出し調整を行なうまでは、分波器１１１を経由すると、図１０（ｂ）に示すように、信号光λ２と波長λ１，λ２それぞれの近傍のＡＳＥ（λ１＿ａｓｅ，λ２＿ａｓｅ）が出力され、次段の光アンプ１０３に入力されることとなる。
【００１４】
この光信号の波長数が１波になった直後には、次段の光アンプ１０３では、光信号の通信品質を保つために、各波長成分（λ１，λ２）の平均パワーに安定するように、信号光λ２の利得を一定制御する。即ち、信号光λ２が利得制御される目標パワーは、そのときの当該信号光λ２のパワーと、信号光成分が取り除かれてレベルが比較的低いＡＳＥ光の成分λ１＿ａｓｅのパワーと、の平均になる。
【００１５】
また、このような波長数の変動が生じたとき、ＡＧＣアンプ１０３による応答制御が安定するまでの過渡的な時間において、例えばＳＨＢ（スペクトラルホールバーニング）が要因となって、信号光利得の変化が大きくなる場合がある。図１１（ａ），図１１（ｂ）は、図９に示した信号波長の変化における光アンプ１０３出力での光スペクトルを示す説明図である。横軸は波長（λ）を表し、縦軸は各光信号のパワーを表す。
【００１６】
ここで、信号波長数が変化する前の状態では、図１１（ａ）に示すように、光アンプ１０３に入力される光信号λ１の波長が、上述のＳＨＢのホールにあたる場合には、光信号λ１の利得が低下するので、光アンプ１０３から出力される２つの光信号λ１，λ２の間に、事実上のパワー偏差が生じている。
この後、信号波長数が変化して短波長側の１波（λ１）がなくなり、長波長側の１波（λ２）だけになった場合、上述のＳＨＢの影響が少なくなるために、図１１（ｂ）に示すように、光アンプ１０３は、この信号波長数が変化した直後の過渡応答期間中は、この１波（λ２）が本来有していたパワーを、矢印Pd分低減させてしまう。
【００１７】
このようなパワー、つまり利得の変動量は、一つのＯＡＤＭノード１０１−２だけでみれば、わずかな信号パワー変動量として無視できるとも考えられる。しかし、ＯＡＤＭノード１０１−１〜１０１−ｎが多段接続された場合、伝送経路の後段側にいくにしたがって、徐々にこの信号パワー変動量が蓄積していく。信号パワー変動量の蓄積分が大きいと、光信号のパワーが受信レンジよりも低下、即ち信号として認識されのに支障を来たしたり、もしくは信号雑音比が劣化することにより受信エラーを招いたり等、通信品質の低下を招くという課題があった。
【００１８】
この波長数変動に伴う信号利得変動が発生する要因としては、上述の（１）ＳＨＢによる要因のほかに、（２）利得（波長）偏差及び（３）誘導ラマン散乱（ＳＲＳ：Stimulated Raman Scattering）効果によるものもある。以下それぞれについて説明する。
（１）ＳＨＢ
１つ目の要因であるＳＨＢは、光アンプ１０３に例えばＥＤＦＡを用いた場合に生じる現象で、短波長側の光信号利得が低下するという特徴がある。例えば、光アンプ１０３にＣバンド（１５３０〜１５６５ｎｍ）の１波（例えば、１５３８ｎｍ）の光信号を入力すると、その信号波長近辺のＥＤＦＡ利得が低下する（これをメインホールと呼ぶ）とともに、１５３０ｎｍ付近のＥＤＦＡ利得も低下する（これをセカンドホールと呼ぶ）という現象が生じる。
【００１９】
そしてＳＨＢは、Ｃバンド内ではメインホールは短波長側ほど深く（利得低下量が大きく）、また、光信号入力パワーが高いほどメインホール及びセカンドホールともに深くなるという特徴をもつ。また、ＳＨＢは、多波長の信号光が入力されている状態ではその影響は小さく、入力波長数が少なくなるほどその影響が大きくなるという特徴がある。
（２）利得偏差
２つ目の要因である利得（波長）偏差も光アンプで生じる現象である。即ち、光アンプは、信号光の平均利得を一定に保つ制御（ＡＧＣ）を行なっており、偏差の生じている波長が残留すると、その信号光の利得を目標利得に合わせるよう動作するため、残留光信号の出力光パワーに変化が生じる。
【００２０】
（３）ＳＲＳ効果
３つ目の要因であるＳＲＳ効果は、光ファイバ伝送路もしくは分散補償ファイバ中で生じる現象である。波長多重光信号が光ファイバを伝送する際に、短波長側の信号光パワーが励起光パワーとして長波長側の信号光を増幅し、結果として長波長側ほど信号光パワーが大きくなるという現象が発生する。このため、短波長側の信号が消えた場合、長波長側の残留信号光は短波長側からパワーを奪うことができなくなりパワー低下が生じる。
【００２１】
このように、伝送される波長多重信号光の波長数が変動すると、上記ＳＨＢ，利得偏差及びＳＲＳの主に３つの要因によって、残留信号光（残留チャンネル）の信号光パワーが変動する。１スパンあたりの変動量はそれほど大きくなくても、ＡＧＣを行なう光アンプ（図６の符号１０３参照）を多段に設けた長距離システムでは、各光アンプ及び光ファイバ伝送路で生じた各信号波長の光パワー変化が累積される。
【００２２】
従来のように伝送距離が短く、光アンプの段数が少ない光伝送システムではこの変動は微小であり問題とならなかったが、今後、システムの長距離化に伴う光アンプ段数の増加が進むと、受信端での光信号パワーが受信許容範囲を超えてしまい、伝送エラーの発生の原因となる場合も考えられる。
なお、特許文献２に記載された技術は、このような課題について解決する技術を提供するものではない。
【００２３】
本発明は、このような課題に鑑み創案されたもので、信号波長数が変化したときの過渡的な利得変動を抑圧し、光信号の通信品質を保つことができるようにすることを目的とする。
【課題を解決するための手段】
【００２４】
このため、本発明の光伝送装置は、信号光および自然放出光を含む光について波長チャンネルに相当する波長成分ごとに光パワーを可変させる光パワー制御デバイスと、前記信号光の波長チャンネルの配置情報を取得する波長配置情報取得部と、該波長配置情報取得部で取得した前記配置情報に基づき、前記信号光の波長成分の光パワーと、前記信号光の波長成分以外の波長成分についての光パワーと、が実質的に同等となるように該パワー制御デバイスを制御する制御部と、をそなえたことを特徴としている。
【００２５】
この場合においては、入力信号光および自然放出光を含む入力光について前記波長チャンネルに相当する波長成分ごとに分波する分波器と、該分波器で分波された各波長成分の光についてのドロップ方路へのドロップおよび出力方路への通過、ならびにアド方路からの光についての前記出力方路へのアドを切り替える切り替え部と、をそなえるとともに、該パワー制御デバイスを、該切り替え部における前記出力方路を通じて出力された各波長成分の光について光パワーを可変減衰させる光可変減衰器により構成し、かつ、該光可変減衰器で可変減衰がなされた各波長成分の光について合波して出力する合波器をそなえるとともに、該制御部が、該波長配置情報取得部で取得した前記配置情報に基づき、前記信号光の波長成分の光パワーと、前記信号光の波長成分以外の波長成分についての光パワーと、が実質的に同等となるように、該光可変減衰器における各波長成分の光パワーについての減衰量を制御することとしてもよい。
【００２６】
また、好ましくは、該切り替え部は、前記出力信号光となる信号光に用いられない波長帯については擬似光を出力すべく切り替えを行なう。
さらに、該パワー制御デバイスを、前記波長チャンネルに相当する波長成分ごとに光可変減衰を行ないうる波長選択光スイッチにより構成することとしてもよい。
さらに、本発明の光伝送装置の制御方法は、信号光および自然放出光を含む光について波長チャンネルに相当する波長成分ごとに光パワーを可変させるパワー制御デバイスをそなえた光伝送装置の制御方法であって、前記信号光としてとりうる波長成分のうちで、前記信号光の波長チャンネルの配置情報を取得し、前記取得した前記配置情報に基づき、前記信号光の波長成分の光パワーと、前記信号光の波長成分以外の波長成分についての光パワーと、が実質的に同等となるように該パワー制御デバイスを制御することを特徴としている。
【発明の効果】
【００２７】
このように、本発明によれば、信号光の波長チャンネルの配置情報を取得し、前記取得した前記配置情報に基づき、前記信号光の波長成分の光パワーと、前記信号光の波長成分以外の波長成分についての光パワーと、が実質的に同等となるようにパワー制御デバイスを制御することができるので、信号波長数が変化したときのＳＲＳやＳＨＢなどに起因した過渡的な利得変動を抑圧し、光信号の通信品質を保つことができる利点がある。
【発明を実施するための最良の形態】
【００２８】
以下、図面を参照することにより、本発明の実施の形態について説明する。
なお、上述の本願発明の目的のほか、他の技術的課題，その技術的課題を解決する手段及び作用効果についても、以下の実施の形態による開示によって明らかとなる。
〔ａ〕一実施形態の説明
図１は本発明の一実施形態にかかる光伝送装置１を示す図である。この図１に示す光伝送装置１は、前述の図６に示すメトロコアシステム等の波長多重光伝送システムにおけるＯＡＤＭノードとして用いることができるものであり、ＯＡＤＭ部２と、ＯＡＤＭ部２の入出力側にそなえられた光アンプ３ａ，３ｂと、ＯＡＤＭ部２の入力側にそなえられた光カプラ４ａおよびフォトダイオード４ｂと、出力側にそなえられたレーザダイオード５ａおよびカプラ５ｂと、がそなえられ、更に、ＯＡＤＭ部２における損失および光分岐挿入の制御を行なう制御システム６がそなえられている。
【００２９】
ここで、光カプラ４ａは、伝送路ファイバ１０を通じて伝送されてくる波長多重光信号とＯＳＣ（Optical Service Channel）光とを分離して、波長多重光信号を光アンプ３ａに、ＯＳＣ光をフォトダイオード４ｂに、それぞれ出力する。このＯＳＣ光には、適用される波長多重光伝送システムにおいて運用中の信号波長情報が少なくとも含まれている。
また、光アンプ３ａは、光カプラ４ａからの波長多重光信号を入力されて、伝送路損失、即ち、伝送路ファイバ１０での伝送により生じた損失を補償する。尚、光アンプ３ａとしては例えばＥＤＦＡ等のファイバ増幅器を適用することができるが、この光アンプ３ａで増幅された波長多重光信号にはＡＳＥ光が含まれることとなる。
【００３０】
ＯＡＤＭ部２は、光アンプ３ａから入力される波長多重光信号について波長単位で光分岐挿入を行なうものであり、分波器２１，ドロップ用ビームスプリッタ２２，光スイッチ２３，ＶＯＡ２４，合波器２５をそなえるとともに、モニタ用ビームスプリッタ２６およびフォトダイオード２７をそなえている。
分波器２１は、入力信号光およびＡＳＥ光（自然放出光）を含む入力光について複数の波長成分に分波する。即ち、分波器２１では入力信号光とともにＡＳＥ光について波長チャンネルごとの信号光に分波する。又、分波器２１に入力されるＡＳＥ光は、前段の光アンプ３ａでの増幅に伴って生じたものであり、伝送路ファイバ１０に介装される光アンプにおける増幅作用によって生じた成分についても累積されうる。そして、このＡＳＥ光はこの入力信号光が取りうる波長帯をカバーする波長成分を有するものである。
【００３１】
ドロップ用ビームスプリッタ２２，光スイッチ２３，ＶＯＡ２４およびモニタ用ビームスプリッタ２６は、分波器２１で分波された各光に対応してそなえられる。ドロップ用ビームスプリッタ２２は、分波器２１で分波された入力光（分波入力光）についてドロップ方路２２ａへの分岐用に一部を分岐させて残りを後段の光スイッチ２３に出力するものであり、光スイッチ２３は、ドロップ用ビームスプリッタ２２からの分波入力光、およびアド方路２３ａを通じて入力される対応波長の信号光のいずれか一方を選択的に後段のＶＯＡ２４に出力する。即ち、ＯＡＤＭ部２においては、この光スイッチ２３の設定により、ドロップ用ビームスプリッタ２２からの分波入力光を選択的に後段のＶＯＡ２４に出力することにより当該波長をスルーとして設定する一方、アド方路２３ａを通じて入力される信号光を選択的に後段のＶＯＡ２４に出力することにより、当該波長をアドとして設定することができる。
【００３２】
したがって、上述のドロップ用ビームスプリッタ２２および光スイッチ２３により、分波器２１およびＶＯＡ２４の間に介装される切り替え部を構成する。即ち、切り替え部としてのドロップ用ビームスプリッタ２２および光スイッチ２３は、分波器２１で分波された各波長成分についてのドロップ方路２２ａへのドロップおよび合波器２５から出力される方路への通過、ならびにアド方路２３ａからの光についての合波器２５から出力される方路へのアド（挿入）を切り替える。
【００３３】
また、ＶＯＡ２４は、分波器２１で分波された各波長成分の光パワーを可変減衰させるものであり、（波長多重信号光をなす）信号光および自然放出光を含む光について波長チャンネルに相当する波長成分ごとに光パワーを可変させるパワー制御デバイスである。尚、図１に示すものの場合においては、光スイッチ２３からの（合波器２５を通じて出力させるべき）各波長の光について可変減衰させることにより、光レベルを均一化させる調整を行なう。
【００３４】
さらに、モニタ用ビームスプリッタ２６は、ＶＯＡ２４で可変減衰がなされた結果についてモニタ用に一部を分岐するものであり、フォトダイオード２７は、モニタ用ビームスプリッタ２６で分岐された光について光レベルをモニタし、モニタ結果については制御システム６に出力される。
制御システム６は、運用信号波長情報解析部６ａ，制御部６ｂおよび制御情報送信部６ｃをそなえている。運用信号波長情報解析部６ａは、フォトダイオード４ｂを通じて受光されたＯＳＣ光をもとに当該ＯＳＣ光に含まれる運用信号波長情報、即ち当該ＯＡＤＭノード1が適用される波長多重光伝送システムにおいて、信号光として運用中の波長配置情報、即ち、ＶＯＡ２４で可変減衰が施されて当該ＯＡＤＭノード１から下流側伝送路ファイバ１０に送出する信号光の波長配置情報を解析により取得するものである。従って、運用信号波長情報解析部６ａは、信号光の波長チャンネルの配置情報を取得する波長配置情報取得部である。
【００３５】
また、制御部６ｂは、フォトダイオード２７からのモニタ結果をもとに各ＶＯＡ２４での可変減衰量をフィードバック制御し、かつ、運用信号波長情報解析部６ａで取得した波長配置情報から得られる波長毎のアド・ドロップおよびスルーの設定に基づいて、光スイッチ２３での切り替えを制御する制御部６ｂと、当該ＯＡＤＭノード１として運用中の信号波長情報を次の（次なる伝送先となる下流側の）ＯＡＤＭノードに送信する制御情報送信部６ｃと、を備えている。
【００３６】
ここで、制御部６ｂは、運用信号波長情報解析部６ａからの運用信号波長情報の解析結果を受けて、合波器２５から出力される出力信号光となる信号光として運用されていない波長帯について擬似光を出力すべく光スイッチ２３を制御する。具体的には、制御部６ｂは、光スイッチ２３を制御することにより、分波器２１で分波された波長成分のうち出力信号光に用いられない波長帯の光について、擬似光として、上流側伝送路ファイバ１０から累積されたＡＳＥ光を通過（スルー）させることができる。又は、光スイッチ２３は、制御部６ｂからの制御を受けて、出力信号光に用いられない波長帯について、アド方路２３ａからのＡＳＥ光を擬似光としてアドすることもできる。これらの場合においては、制御部６ｂにおいては、合波器２５から出力される出力信号光となる波長成分についての可変減衰量が、当該出力信号光の波長成分以外についての可変減衰量よりも大きくなるように、各ＶＯＡ２４での可変減衰量を制御するようにして、それぞれの波長成分の出力パワーが同等の目標レベルとなるようにしている。
【００３７】
さらには、ドロップ用ビームスプリッタ２２でドロップさせるが、光スイッチ２３において出力信号光の要素としては通過（スルー）もアドも行なわない波長については、擬似光として、ドロップ用ビームスプリッタ２２からの光をスルーさせることもできる。この場合、合波器２５から出力される出力信号光となる波長成分についての可変減衰量と、ドロップ用ビームスプリッタ２２から擬似光としてスルーされた波長成分についての可変減衰量と、は実質的には同等として、それぞれの波長成分の出力パワーが同等の目標レベルとなるようにしている。
【００３８】
すなわち、上述したように、出力信号光となる波長成分以外の波長成分については、擬似光がＶＯＡ２４に入力されるようになっているが、制御部６ｂでは、出力信号光となる波長成分および擬似光の光パワーが、後述の図２（ａ）に示すような同一の目標パワーＯｂとなるように、該当のＶＯＡ２４を制御する。
換言すれば、制御部６ｂは、運用信号波長情報解析部６ａで取得した信号光の波長配置情報に基づき、信号光の波長成分の光パワーと、信号光の波長成分以外の波長成分についての光パワーと、が実質的に同等となるように、ＶＯＡ２４における各波長成分の光パワーについての減衰量を制御する。
【００３９】
ＶＯＡ２４の減衰量ではなく、ＶＯＡ２４から出力される各波長の光パワーに着目すると、制御部６ｂは、出力信号光をなす波長帯において、信号光に用いられない波長帯については、入力信号光に含まれる自然放出光レベルが、出力信号光となる信号光レベルに実質的に等しい目標パワーなるように、各ＶＯＡ２４の可変減衰量をフィードバック制御することになる。
【００４０】
具体的に、図２（ａ）に示すように、運用信号波長情報解析部６ａにおいて、λ１とλ２とが運用波長として用いられていると判定するとともに、制御部６ｂにおいて、λ１およびλ２の波長の光信号をスルーする設定を行なう場合を想定する。この場合においては、波長λ１，λ２についての信号光およびＡＳＥ光が入力されるＶＯＡ２４の減衰量を、波長λ１，λ２以外の未使用波長（図２（ａ）のＣ参照）の光が入力されるＶＯＡ２４での減衰量よりも大きくする。
【００４１】
たとえば、図２（ａ）に示すように、本来、λ１，λ２および未使用波長帯にわたって均一化されたレベルのＡＳＥ光が各ＶＯＡ２４に入力されると想定されるところ、λ１，λ２についての光の減衰量を未使用波長Ｃでの減衰量よりも大きくして、λ１，λ２についての信号光レベルと、未使用波長帯のＡＳＥ光レベルと、を均一化させることができる。
【００４２】
これにより、例えば図２（ｂ）に示すように、波長λ１の信号光入力がなくなった場合においても、図１１（ａ），図１１（ｂ）に示す従来技術の場合に比べてＳＨＢやＳＲＳ等の利得変動要因を生じにくくさせることができるので、残った信号光波長λ２の利得変動が後段のＯＡＤＭノードに与える影響を最小限にとどめることができる。
たとえば、図３（ａ），図３（ｂ）に示すように、光アンプ３ａへ入力される信号光が２波（λ１，λ２）から１波（λ２）に減少しても、信号パワー相当に成長したＡＳＥ光がλ１，λ２以外の未使用波長帯に存在する。このため、ＯＡＤＭノード１の収容可能な波長数を４０波とすると、実質的な光パワーは、４０波増幅から３９波増幅への減少にとどまる。このように使用波長数の変化割合が大きくても、未使用波長帯を信号光レベルと実質的に同等のレベルとしているので、ＳＨＢの影響や伝送路のＳＲＳによる信号パワー変化への影響が小さくなり（図３（ｂ）に示すＰｄの値を図１１（ｂ）の場合よりも小さくすることができ）、信号パワー変動量の蓄積を抑圧できる。
【００４３】
また、制御信号送信部６ｃにより、出力信号光として使用している波長情報を下流側の伝送路ファイバ１０を通じてＯＳＣ光として送信することができるので、この下流側の伝送路ファイバ１０を介して接続された、上述のＯＡＤＭノード１と同様の構成を有するＯＡＤＭノードでは、ＯＡＤＭノード１の制御情報送信部６ｃから送信される制御情報から、運用波長を解析して、同様の光スイッチおよびＶＯＡに対する制御を行なうことができる。
【００４４】
上述のごとく構成された、第１実施形態にかかるＯＡＤＭノード１では、制御システム６をなす制御部６ｂにおいて、運用信号波長情報解析部６ａからの運用信号波長情報に応じて（図４のステップＡ１）、分波器２１で分波される波長チャンネルごとに、光スイッチ２３およびＶＯＡ２４の設定を行なう（ステップＡ２〜ステップＡ３，ステップＡ４１〜ステップＡ４３，ステップＡ５，ステップＡ６のＮｏルートからステップＡ７）。
【００４５】
すなわち、運用信号波長情報解析部６ａで、出力信号光としてとりうる波長成分のうちで、出力信号光として用いられる波長成分および出力信号光として用いられる波長成分以外の波長成分の情報について取得し、制御部６ｂで、運用信号波長情報解析部６ａで取得した波長配置情報に基づき、信号光の波長成分の光パワーと、信号光の波長成分以外の波長成分についての光パワーと、が実質的に同等となるようにＶＯＡ２４を制御している。尚、図４のフローチャートにおいては、収容される波長チャンネル数が４０である場合において、各波長チャンネルをｎ＝１〜４０としてそれぞれ波長チャンネルについて、光スイッチ２３およびＶＯＡ２４の設定を行なっている。
【００４６】
具体的には、制御部６ｂでは、各信号波長についての光信号処理方法として、［１］自身のＯＡＤＭノード１でドロップさせるか、［２］自身のＯＡＤＭノード１においてアド方路２３ａからの信号光をアドするか、［３］自身のＯＡＤＭノード１を通過（スルー）させるか、又は、［４］非運用状態（未使用状態）の波長か、のいずれかの設定モードに分け（ステップＡ３）、それぞれの設定モードに応じて光スイッチ２３の切り替えを制御するとともに、ＶＯＡ２４での可変減衰量を設定する（ステップＡ４１〜ステップＡ４３）。
【００４７】
まず、自身のＯＡＤＭノード１を信号光波長として通過させる波長については、該当光スイッチ２３を、ドロップ用ビームスピリッタ２２からの光をスルー信号光として該当ＶＯＡ２４に出力する設定（スルーする設定）とする一方、該当ＶＯＡ２４に、スルーされる信号光パワーを所定の目標パワーとするような減衰量を設定する（ステップＡ３の「通過」ルートからステップＡ４１，ステップＡ５）。この制御部６ｂによるＶＯＡ２４への減衰量の設定制御は、フォトダイオード２７からのモニタ結果に基づいて、ＶＯＡ２４から出力される光レベルが所定の目標値（図２のレベルＯｂ参照）となるようにフィードバック制御される。
【００４８】
さらに、ＯＡＤＭノード１でドロップさせるか否かにかかわらず、自身のＯＡＤＭノード１においてアド方路２３ａからの信号光をアドする波長については、該当光スイッチ２３を、アド方路２３ａからの光を該当ＶＯＡ２４に出力する設定（アドする設定）とする一方、該当ＶＯＡ２４に、アドされる信号光パワーを上述の目標パワーＯｂとするような減衰量を設定する（ステップＡ３の「挿入ｏｒ分岐かつ挿入」ルートからステップＡ４２，ステップＡ５）。この制御部６ｂによるＶＯＡ２４への減衰量の設定制御についても、フォトダイオード２７からのモニタ結果に基づいて、ＶＯＡ２４から出力される光レベルが所定の目標値（図２のレベルＯｂ参照）となるようにフィードバック制御される。
【００４９】
また、自身のＯＡＤＭノード１でドロップさせる一方後段のＯＡＤＭノードにはアドもスルーも行なわない波長、又は非運用状態の波長については、該当光スイッチ２３を、ドロップ用ビームスピリッタ２２からの光を擬似光として該当ＶＯＡ２４に出力する設定（スルーする設定）とする一方、該当ＶＯＡ２４に、上述の目標パワーＯｂとなるような減衰量を設定する（ステップＡ３の「光信号なしｏｒ分岐のみ」ルートからステップＡ４３，ステップＡ５）。
【００５０】
この場合においては、擬似光（運用中だがアドおよびスルーを行なわない波長の場合には信号光であり、非運用中の場合にはＡＳＥ光）のレベルが、運用中の信号光レベルと同様となるように減衰量を設定する。即ち、制御部６ｂにおいて、フォトダイオード２７からのモニタ結果に基づいて、該当ＶＯＡ２４から出力されるＡＳＥ光レベルが所定の目標値（図２（ａ）のレベルＯｂ参照）となるように、該当ＶＯＡ２４をフィードバック制御する。
【００５１】
このように、制御部６ｂでは、ＶＯＡ２４からの出力光パワーがシステム光レベルダイヤで設計された所定の値である目標値ＯｂとなるようにＶＯＡ損失を調整する。この調整は該当波長の信号の運用有無にかかわらず同様の動作で行なわれる。尚、ＶＯＡ２４に入力される光パワーが低く、ＶＯＡ２４での損失を最小にしても目標値の光パワーに到達できない場合は、当該ＶＯＡ２４の損失を最小の状態に固定する。
【００５２】
上述の図２（ａ），図２（ｂ）は本実施形態におけるＯＡＤＭノード１内の合波器２５出力の光スペクトルを示す図である。制御部６ｂにより、ＯＡＤＭノード１内で信号光を運用していない波長の経路では、ノード１の光スイッチ２３を通過に設定し、ＯＡＤＭノード１の上流から累積してくるＡＳＥ光を下流に通過させる。ＡＳＥ光は光スイッチ２３を通過後、ＶＯＡ２４により損失を受けるが、上述したように、積極的に該当ＶＯＡ２４の損失を小さくしておく。
【００５３】
一方、信号光が運用されている波長の経路では、該当ＶＯＡ２４で信号パワーを調整していることから、ＶＯＡ２４の開放状態よりはＶＯＡ損失が大きい。よって、信号光を運用していない波長の方が、ＡＳＥパワーが大きく成長し、さらにＶＯＡ出力の光パワー（ＡＳＥ光の出力パワー）を信号出力パワーの目標値Ｏｂと同等に調整することにより、信号パワーと同等のレベルまで成長すれば、それ以上のパワーになることはない。
【００５４】
システムで使用できる最大信号波長数が４０波で、実際に運用している信号波長数が２波（λ１，λ２）の光信号から、１波（λ２）の光信号だけに減少した場合について説明する。変化する前の２波の状態では、使用していない信号波長が３８波あり、本発明では３８波長のＡＳＥが信号パワー相当に成長する。つまり、実際に運用している信号波長数が２波であっても、光アンプ３ａ，３ｂとしては、４０波相当の動作をすることになる。さらに、上流側伝送装置の障害等により伝送されてくる信号が１波のみに減少しても、ＡＳＥ光は残るので、３９波相当の動作を実現することができる。
【００５５】
また、図３（ａ），図３（ｂ）は、本実施形態における光アンプ３ａ又は３ｂからの出力における光スペクトルを示す図である。上述したように光アンプへ入力される信号は２波から１波に減少しても、信号パワー相当に成長したＡＳＥが存在するので４０波増幅から３９波増幅に減少することになる。このように波長数の変化が小さい場合、ＳＨＢの影響や伝送路のＳＲＳによる信号パワー変化への影響が小さくなり、信号パワー変動量の蓄積を抑圧できる。
【００５６】
図５は本発明による信号パワー変動累積の改善効果の一例を示した図である。２３ノード（♯０〜♯２２）で構成されるシステムを想定し、ノード＃０からノード#２２まで１波（λ１）、ノード＃１からノード#２２まで１波（λ２）信号伝送している状態から、ノード＃０からの1波分の送信機能が障害で動作しなくなると仮定したとき、信号λ２の各ノードの合波器出力点におけるパワー変化量をプロットしている。この図５に示すように、従来構成と比較して大幅な信号のパワー変化量の抑圧が可能である。
【００５７】
以上説明したように、本発明にかかるＯＡＤＭノードは、信号波長数が変化したときに過渡的に生じる信号パワー変動量を従来に比べて大幅に抑圧することができる。したがって、光ネットワークにおいてＯＡＤＭノードが多段接続された場合であっても、波長数変化時の通信品質改善が期待できる。
このように、本発明によれば、制御部６ｂにより、運用信号波長解析部６ａで取得した波長配置情報に基づき、信号光の波長成分の光パワーと、信号光の波長成分以外の波長成分についての光パワーと、が実質的に同等となるようにＶＯＡ２４を制御することができるので、信号波長数が変化したときのＳＲＳやＳＨＢなどに起因した過渡的な利得変動を抑圧し、光信号の通信品質を保つことができる利点がある。
【００５８】
〔ｂ〕その他
上述の実施形態にかかわらず、本発明の趣旨を逸脱しない範囲において種々変形して実施することが可能である。
たとえば、上述の図１に示すようなＯＡＤＭノードの構成のほか、米国特許第６，６６１，９４８号明細書に記載されているような、波長選択スイッチ（ＷＳＳ：Wavelength Selective Switch）を用いた構成においても、波長配置情報取得部で取得した前記配置情報に基づき、前記信号光の波長成分の光パワーと、前記信号光の波長成分以外の波長成分についての光パワーと、が実質的に同等となるように該パワー制御デバイスを制御する制御部としての構成を適用することができる。
【００５９】
この場合には、ＷＳＳが、信号光および自然放出光を含む光について波長チャンネルに相当する波長成分ごとに光パワーを可変させる光パワー制御デバイスとして機能する。尚、ＷＳＳが波長チャンネルに相当する波長成分ごとに光パワーを可変、具体的には減衰量を制御できることについては、上述の米国特許第６，６６１，９４８号明細書に記載されている。
【００６０】
図１２はＷＳＳの構成例を示す図である。この図１２に示すＷＳＳ３１は、ｍ（ｍは自然数）個の光入力ポートからの光ビームの出力先をｎ（ｎは自然数）個の光出力ポートのうちで波長単位に切り替え可能な光スイッチである。尚、図１２中においては、特に１個の光入力ポートに対する光出力ポート３９をｍ１（ｍ１は４よりも大きい自然数）個としたものである。
【００６１】
ここで、光入力ポートをなす端面３８ａを有する入力光ファイバ３８と光出力ポート３９ａを有する出力光ファイバ３９とが、それぞれの端面３８ａ，３９ａが同一方向を向くように配列されるとともに、ＷＳＳ３１は、端面３８ａから出射される光について、運用中の波長チャンネルの光ごとに、往復光路を設定しながら出力先となる出力光ファイバ３９に導くことができる一方、出力光ファイバ３９への結合効率を調整することにより、出力光ファイバ３９へ出力される光信号パワーを減衰制御して等化することができるようになっている。
【００６２】
このために、ＷＳＳ３１は、コリメータ３２，エキスパンダー３３，回折格子３４，焦点レンズ３５および可動ミラーアレイ３６をそなえて、光入力ポートをなす入力光ファイバ３８の端部３８ａと光出力ポートをなす出力光ファイバ３９の端部３９ａとの間に往復光路が設定され、且つ、可動ミラーアレイ３６を駆動する制御ドライバ３７をそなえている。
【００６３】
ここで、コリメータ３２は、上述の入力光ファイバ３８からの往光路の光を平行光として後段のエキスパンダー３３に出力する一方、復光路におけるエキスパンダー３３からの運用チャンネルの平行光について出力光ファイバ３９に結合させる。
また、エキスパンダー３３は、コリメータ３２からの往光路を通じた平行光について、図１２中Ｘ軸方向に広がったビーム形状の光として回折格子３４に出力する。又、回折格子３４からの復光路を通じた光についてはＸ軸方向に広がった平行光のビーム幅を狭くした平行光として出力する。エキスパンダー３３としては、この図１２に示すように一対のレンズ体により構成することができる。従って、上述のコリメータ３２およびエキスパンダー３３は、光入力ポートからの光を平行光にするコリメート部を構成する。
【００６４】
さらに、回折格子３４は、エキスパンダー３３からの往光路を通じた平行光について分光して、波長チャンネルの成分ごとに（図中Ｘ軸方向に広がる）異なる角度で焦点レンズ３５に出射するものである。又、焦点レンズ３５からの復光路を通じた光についても、波長チャンネルの成分ごとに異なる角度でエキスパンダー３３に出射するようになっている。従って、回折格子３４は、コリメート部からの光を分光する分光部である。
【００６５】
また、焦点レンズ３５は、光波長ごとに異なった角度で入射したビームを全て平行な光線に変換しつつ、波長チャンネルの光ごとに可動ミラーアレイ３６をなす異なるミラー３６ａに焦点位置で入射させる。更に、可動ミラーアレイ３６をなすミラー３６ａで反射された復光路の光については回折格子３４に出力させる。従って、焦点レンズ３５は、分光部で分光された光ビームを波長ごとに集光する集光部である。
【００６６】
また、可動ミラーアレイ３６は、焦点レンズ３５の焦点位置に、（回折格子３４による分光方向に相当する）Ｘ軸に沿って配列されたミラー３６ａからなり、各ミラー３６ａは、回折格子３４で分光された波長チャンネル（図１中においてはλ１〜λ５）ごとの光について個別に反射するようになっており、且つその反射面がＸ軸およびＹ軸について回動可能に構成されている。これにより、反射面角度を上述のＸ軸およびＹ軸について独立して設定することができるようになっている。換言すれば、可動ミラーアレイ３６をなすミラー３６ａは、集光部で集光された波長ごとの光ビームを個別に反射させるべく配置された複数の回動軸を有する回動ミラーである。
【００６７】
ここで、可動ミラーアレイ３６をなす各ミラー３６ａは、後述の制御ドライバ３７からの駆動を受けて、Ｘ軸についての傾斜角度θｘの設定により、結合される出力光ファイバ３９を、図１２中♯１〜♯ｍ１の光ファイバ３９のいずれかに定めることができるようになっている。又、Ｙ軸についての傾斜角度θｙの設定により、運用中の波長チャンネルと待機中の波長チャンネルとで出力光ファイバ３９への光結合のオンオフを切り替えることができるようになっている。
【００６８】
具体的には、Ｙ軸についての回動制御量が実質的に０度である場合には、ミラー３６ａで反射した光は、焦点レンズ３５，回折格子３４，エキスパンダー３３およびコリメータ３２を介し、当該ミラー３６ａのＸ軸角度で定まる出力光ファイバ３９に結合して出力される。これに対し、可動ミラーアレイ３６をなす各ミラー３６ａは、Ｙ軸についての反射面角度θｙを傾斜させることにより、ミラー３６ａで反射した光は、焦点レンズ３５，回折格子３４，エキスパンダー３３を介して、出力光ファイバ３９に結合されるコリメータ３２への光路から外れた領域（シャッター動作領域）に出射されるようになっている。
【００６９】
また、上述の各ミラー３６ａにおけるθｘ，θｙを調整することで、出力光ファイバ３９に結合される光のレベルを波長チャンネルごとに設定された目標レベルにまで減衰させることもできる。
また、制御ドライバ３７は、入力光ファイバ３８から入力された波長多重光信号についての波長チャンネルの光信号ごとの出力先となる出力光ファイバ３９の設定に応じて、該当波長チャンネルの光信号を反射するミラー３６ａを駆動することにより、当該ミラー３６ａのＸ軸およびＹ軸についての反射面角度を個別に調整するものである。即ち、ドライバ３７による可動ミラーアレイ３６の駆動によって生成される外力によって、各ミラー３６ａはそれぞれ設定された角度だけ傾斜されるようになっているのである。
【００７０】
このように構成されたＷＳＳ３１においては、ミラー３６ａにおける反射面角度を反射される光ビームの波長ごとに制御することにより、入力光ファイバ３８から入力された波長多重光信号について、波長チャンネルの光信号ごとに出力先となる出力光ファイバ３９を切り替えるとともに、又出力される波長チャンネルの光信号の出力光ファイバ３９への結合効率の調整により等化処理を行なっている。
【００７１】
また、上述の実施形態においては、ＯＡＤＭノードに、ＶＯＡと、波長配置情報を取得する構成と、取得した波長配置情報に基づき、信号光の波長成分の光パワーと、信号光の波長成分以外の波長成分についての光パワーと、が実質的に同等となるようにパワー制御デバイスであるＶＯＡを制御する構成と、を適用した場合について詳述したが、ＯＡＤＭノード以外の構成においても上述の本願発明の構成を同様に適用する適用することができ、このようにしても、信号波長数が変化したときのＳＲＳやＳＨＢなどに起因した過渡的な利得変動を抑圧し、光信号の通信品質を保つことができる。
【００７２】
さらに、上述の実施形態におけるＯＡＤＭノード１においては、ポストアンプおよびプリアンプとしての光アンプ３ａ，３ｂが備えられているが、伝送路光ファイバの上流側に少なくとも光増幅器が介装されていれば、光伝送装置内部においては必ずしも光増幅器が搭載されていなくても、信号波長数が変化したときの利得変動を抑圧するためのＡＳＥ光を下流側の伝送路光ファイバに出力することができる。
【００７３】
また、上述の実施形態の開示により、当業者であれば本願発明の装置を製造することは可能である。
〔ｃ〕付記
（付記１）
信号光および自然放出光を含む光について波長チャンネルに相当する波長成分ごとに光パワーを可変させる光パワー制御デバイスと、
前記信号光の波長チャンネルの配置情報を取得する波長配置情報取得部と、
該波長配置情報取得部で取得した前記配置情報に基づき、前記信号光の波長成分の光パワーと、前記信号光の波長成分以外の波長成分についての光パワーと、が実質的に同等となるように該パワー制御デバイスを制御する制御部と、
をそなえたことを特徴とする光伝送装置。
【００７４】
（付記２）
入力信号光および自然放出光を含む入力光について前記波長チャンネルに相当する波長成分ごとに分波する分波器と、
該分波器で分波された各波長成分の光についてのドロップ方路へのドロップおよび出力方路への通過、ならびにアド方路からの光についての前記出力方路へのアドを切り替える切り替え部と、をそなえるとともに、
該パワー制御デバイスが、該切り替え部における前記出力方路を通じて出力された各波長成分の光について光パワーを可変減衰させる光可変減衰器により構成され、
かつ、該光可変減衰器で可変減衰がなされた各波長成分の光について合波して出力する合波器をそなえるとともに、
該制御部が、該波長配置情報取得部で取得した前記配置情報に基づき、前記信号光の波長成分の光パワーと、前記信号光の波長成分以外の波長成分についての光パワーと、が実質的に同等となるように、該光可変減衰器における各波長成分の光パワーについての減衰量を制御することを特徴とする付記１記載の光伝送装置。
【００７５】
（付記３）
該制御部は、信号光の波長成分以外の波長成分については、前記自然放出光レベルが、前記信号光の波長成分の光パワーに実質的に等しくなるように、該パワー制御デバイスを制御することを特徴とする付記１記載の光伝送装置。
（付記４）
該切り替え部は、前記出力信号光となる信号光に用いられない波長帯については擬似光を出力すべく切り替えを行なうことを特徴とする付記２記載の光伝送装置。
【００７６】
（付記５）
該切り替え部は、前記出力信号光となる信号光に用いられない波長帯について、自然放出光を前記擬似光として通過させるべく切り替えを行なうことを特徴とする付記４記載の光伝送装置。
（付記６）
該切り替え部は、前記出力信号光となる信号光に用いられない波長帯について、自然放出光を前記アド方路から前記擬似光としてアドすべく切り替えを行なうことを特徴とする付記４記載の光伝送装置。
【００７７】
（付記７）
該切り替え部は、前記入力信号光に含まれる波長成分のうちで、前記ドロップ方路へドロップするが出力信号光としては通過もアドも行なわないものについては、前記擬似光として、前記分波器で分波された光を通過させることを特徴とする付記４記載の光伝送装置。
【００７８】
（付記８）
該分波器の前段および該合波器の後段のうちの少なくとも一方に光増幅器をそなえたことを特徴とする付記２記載の光伝送装置。
（付記９）
該光可変減衰器への入力パワー又は該光可変減衰器からの出力パワーを波長成分ごとに検出するパワー検出部をそなえ、
該制御部は、該パワー検出部からの検出結果に基づいて、前記各波長成分の光パワーを、波長成分ごとに設定された目標パワーとすべく該光可変減衰器を制御することを特徴とする、付記２記載の光伝送装置。
【００７９】
（付記１０）
該制御部が、該パワー検出部からの検出結果に基づいて前記出力信号光となる信号光として入力される波長成分以外の自然放出光パワーが、該合波器に前記出力信号光となる信号光として入力される波長成分のパワーと実質的に等しい目標パワーとなるように、該光可変減衰器を制御することを特徴とする、付記９記載の光伝送装置。
【００８０】
（付記１１）
該パワー制御デバイスが、
前記波長チャンネルに相当する波長成分ごとに光可変減衰を行ないうる波長選択光スイッチにより構成されたことを特徴とする、付記１記載の光伝送装置。
（付記１２）
信号光および自然放出光を含む光について波長チャンネルに相当する波長成分ごとに光パワーを可変させるパワー制御デバイスをそなえた光伝送装置の制御方法であって、
前記信号光としてとりうる波長成分のうちで、前記信号光の波長チャンネルの配置情報を取得し、
前記取得した前記配置情報に基づき、前記信号光の波長成分の光パワーと、前記信号光の波長成分以外の波長成分についての光パワーと、が実質的に同等となるように該パワー制御デバイスを制御することを特徴とする光伝送装置の制御方法。
【図面の簡単な説明】
【００８１】
【図１】本発明の一実施形態にかかる光伝送装置を示す図である。
【図２】（ａ），（ｂ）はともに本実施形態の作用効果を説明するための図である。
【図３】（ａ），（ｂ）はともに本実施形態の作用効果を説明するための図である。
【図４】本実施形態の動作を説明するためのフローチャートである。
【図５】本実施形態の作用効果を説明するための図である。
【図６】メトロコアシステムの構成例を示すブロック図である。
【図７】ＯＡＤＭノードの構成例を示す図である。
【図８】ＯＡＤＭノード間通信において伝送路光ファイバを伝送される波長多重光のスペクトルの一例を示す図表である。
【図９】信号波長数の変化による信号パワー変化の一例を示す説明図である。
【図１０】（ａ），（ｂ）はともに信号波長数の変化による信号パワー変化の一例を示す説明図である。
【図１１】（ａ），（ｂ）はともに信号波長数の変化による信号パワー変化の一例を示す説明図である。
【図１２】波長選択スイッチの構成例を示す説明図である。
【符号の説明】
【００８２】
１    ＯＡＤＭノード
２    ＯＡＤＭ部
３ａ，３ｂ    光アンプ
４ａ    光カプラ
４ｂ    フォトダイオード
５ａ    レーザダイオード
５ｂ    カプラ
６    制御システム
６ａ    運用信号波長情報解析部
６ｂ    制御部
６ｃ    制御情報送信部
１０    伝送路ファイバ
２１    分波器
２２    ドロップ用ビームスプリッタ
２３    光スイッチ
２４    ＶＯＡ
２５    合波器
２６    モニタ用ビームスプリッタ
２７    フォトダイオード
３１    ＷＳＳ
３２    コリメータ
３３    エキスパンダー
３４    回折格子
３５    焦点レンズ
３６    可動ミラーアレイ
３６ａ    ミラー
３７    ドライバ
３８，３９    光ファイバ
３８ａ，３９ａ    端面
１００    波長多重光伝送システム
１０１，１０１−１〜１０１−ｎ    ＯＡＤＭノード
１０２    伝送路光ファイバ
１０３    光アンプ
１１１    分波器
１１２    分岐カプラ
１１３    光スイッチ
１１４    光可変減衰器
１１５    合波器
【図１】
2008091995.tif 000003
【図２】
2008091995.tif 000004
【図３】
2008091995.tif 000005
【図４】
2008091995.tif 000006
【図５】
2008091995.tif 000007
【図６】
2008091995.tif 000008
【図７】
2008091995.tif 000009
【図８】
2008091995.tif 000010
【図９】
2008091995.tif 000011
【図１０】
2008091995.tif 000012
【図１１】
2008091995.tif 000013
【図１２】
2008091995.tif 000014